(57)【要約】【課題】内部接触子の変形又は破損を抑制することが可能なコネクター、及び前記コネクターが実装された画像処理装置を提供すること。【解決手段】外装部３４は、ＦＦＣ３０が挿入される挿入口Ｈ１を有する。複数の内部接触子３６は、外装部３４の内側に設けられ、挿入口Ｈ１を通じて挿入されたＦＦＣ３０の信号線に接触する。また、複数の内部接触子３６は、挿入口Ｈ１から離間している。仕切部３４Ａは、外装部３４の内側の互いに隣接する２つの内部接触子３６の間に設けられ、ＦＦＣ３０の挿抜方向Ｄ１において内部接触子３６よりも挿入口Ｈ１側に延びている。【選択図】図３
2018170253.tif 000002
【特許請求の範囲】
【請求項１】
並設される複数の信号線を含むケーブルが挿入される挿入口を有する外装部と、
前記外装部の内側に設けられ、前記挿入口を通じて挿入された前記ケーブルの前記信号線に接触する、前記挿入口から離間した複数の内部接触子と、
前記外装部の内側の互いに隣接する２つの前記内部接触子の間に設けられ、前記ケーブルの挿抜方向において前記内部接触子よりも前記挿入口側に延びた仕切部と、
を備えるコネクター。
【請求項２】
前記ケーブルを接続すべき基板に対して前記挿入口とは反対側の端部が対向する状態で前記基板に実装される、
請求項１に記載のコネクター。
【請求項３】
前記挿入口を覆うカバー部材を更に備える、
請求項１又は請求項２に記載のコネクター。
【請求項４】
前記カバー部材が可とう性を有する部材であり、
前記カバー部材には、前記挿入口の長手方向に沿った切り込みが設けられている、
請求項３に記載のコネクター。
【請求項５】
前記カバー部材には、前記挿入口の長手方向に沿った第１の切り込みと、前記第１の切り込みに対して直交し前記第１の切り込みの両端部にそれぞれ設けられた第２の切り込みとが設けられている、
請求項３に記載のコネクター。
【請求項６】
前記仕切部が前記カバー部材から離間している、
請求項４又は請求項５に記載のコネクター。
【請求項７】
前記仕切部と前記カバー部材との間に、前記ケーブルの挿入時に前記カバー部材が退避可能な退避空間が設けられている、
請求項６に記載のコネクター。
【請求項８】
画像読取動作又は画像形成動作に伴って移動する可動部と、
請求項１〜７のいずれかに記載のコネクターが実装された、前記可動部と一体的に移動する基板と、
を備える画像処理装置。
【発明の詳細な説明】
【技術分野】
【０００１】
本発明は、コネクター及び画像処理装置に関する。
【背景技術】
【０００２】
複合機、複写機、ファクシミリ装置、画像読取装置、プリンターなどの画像処理装置では、データの高速転送、装置の小型化などを達成するために、電気信号を伝送するケーブルとしてＦＦＣ（Flexible Flat Cable）又はＦＰＣ（Flexible Printed Circuits）が用いられるのが一般的である（例えば、特許文献１参照）。
【先行技術文献】
【特許文献】
【０００３】
【特許文献１】特開２０１６−２２０１２２号公報
【発明の概要】
【発明が解決しようとする課題】
【０００４】
ところで、ＦＦＣ又はＦＰＣ用のコネクターを基板に実装する際に、基板上に載置されたコネクターが、指又は工具によって基板に向かって上から押されることがある。このとき、コネクター内の内部接触子が指又は工具からの力によって変形又は破損してしまうことがある。
【０００５】
特に、基板に対してコネクターを立てた状態（すなわち、コネクターに対するケーブルの挿抜方向が基板の主面に対してほぼ垂直となる状態）で実装する場合は、コネクターにおけるケーブルの挿入口の近傍部分が指又は工具で押されることになる。そのため、コネクターに設けられている内部接触子が指又は工具に接触しやすい。
【０００６】
本発明の目的は、内部接触子の変形又は破損を抑制することが可能なコネクター、及び前記コネクターが実装された画像処理装置を提供することにある。
【課題を解決するための手段】
【０００７】
本発明の一の局面に係るコネクターは、外装部と、複数の内部接触子と、仕切部とを備える。前記外装部は、並設される複数の信号線を含むケーブルが挿入される挿入口を有する。前記複数の内部接触子は、前記外装部の内側に設けられ、前記挿入口を通じて挿入された前記ケーブルの前記信号線に接触する。また、前記複数の内部接触子は、前記挿入口から離間している。前記仕切部は、前記外装部の内側の互いに隣接する２つの前記内部接触子の間に設けられ、前記ケーブルの挿抜方向において前記内部接触子よりも前記挿入口側に延びている。
【０００８】
本発明の他の局面に係る画像処理装置は、可動部と、基板とを備える。前記可動部は、画像読取動作又は画像形成動作に伴って移動する。前記基板は、前記コネクターが実装され、前記可動部と一体的に移動する。
【発明の効果】
【０００９】
本発明によれば、内部接触子の変形又は破損を抑制することが可能なコネクター、及び前記コネクターが実装された画像処理装置が提供される。
【図面の簡単な説明】
【００１０】
【図１】図１は、本発明の実施形態に係る複合機の構成を示す図である。
【図２】図２は、本発明の実施形態に係る画像読取装置の構成を示す図である。
【図３】図３は、本発明の実施形態に係るコネクターをケーブルの挿抜方向に直交する方向から見た図である。
【図４】図４は、本発明の実施形態に係るコネクターをケーブルの挿抜方向から見た図である。
【図５】図５は、本発明の実施形態に係るコネクターをケーブルの挿抜方向から見た図である。
【図６】図６は、本発明の実施形態に係るコネクターの変形例をケーブルの挿抜方向から見た図である。
【図７】図７は、本発明の実施形態に係るコネクターの変形例をケーブルの挿抜方向に直交する方向から見た断面図である。
【図８】図８は、本発明の実施形態に係るコネクターの変形例をケーブルの挿抜方向に直交する方向から見た断面図である。
【図９】図９は、本発明の実施形態に係るコネクターの変形例をケーブルの挿抜方向から見た図である。
【発明を実施するための形態】
【００１１】
以下、図面を参照しながら、本発明の実施形態について説明する。なお、以下に説明される実施形態は本発明を具体化した一例にすぎず、本発明の技術的範囲を限定するものではない。
【００１２】
図１及び図２を参照して本発明の実施形態に係る画像読取装置１１及びこれを備えた複合機１０の概略構成について説明する。画像読取装置１１及び複合機１０は、本発明の画像処理装置の一例である。
【００１３】
複合機１０は、画像読取機能、ファクシミリ機能、画像形成機能などを備える。図１に示されるように、複合機１０は、画像読取装置１１及び自動原稿送り装置（Auto Document Feeder；以下、ＡＤＦという）１３を備えている。また、図示は省略するが、複合機１０は、画像形成部、操作表示部、給紙カセット、排紙部などを備えている。なお、本実施形態では、複合機１０に搭載されている画像読取装置１１を例示して説明するが、本発明はこれに限られない。例えば、本発明は、複合機１０から独立した画像読取装置１１であってもよく、或いは画像読取装置１１を備えるファクシミリ装置又は複写機であってもよい。
【００１４】
ＡＤＦ１３は、原稿セット部に載置された原稿を一枚ずつ取り出して、所定の読取位置へ連続的に搬送する。ここで、前記読取位置は、画像読取装置１１によって原稿の画像が読取可能な位置であって、後述の読取ユニット２２によって光が照射される位置である。
【００１５】
画像読取装置１１は、原稿から画像データを読み取る。画像読取装置１１は、筐体２１、読取ユニット２２、コンタクト部材２７、コンタクト部材２８などを備える。コンタクト部材２７は、画像の読取対象となる原稿が載置される部分であり、コンタクト部材２８は、ＡＤＦ１３により搬送される原稿に対して読取ユニット２２から照射される光を透過する部分である。コンタクト部材２７及びコンタクト部材２８は、透明性を有する部材（ガラスや透明樹脂など）によって平板状に形成されている。
【００１６】
読取ユニット２２は、ＡＤＦ１３により搬送される原稿の画像、又は、コンタクト部材２７に載置された原稿の画像を読み取る装置である。読取ユニット２２は、画像読取動作に伴って移動する可動部の一例である。読取ユニット２２は、光源２２１、撮像素子２２２、制御基板６２（図２参照）などを備えている。光源２２１及び撮像素子２２２は、読取ユニット２２の筐体を構成するキャリッジ２３に収容されている。キャリッジ２３は、ステッピングモーター等の駆動装置を用いた移動機構によって、図１及び図２に示される左右方向に往復移動可能に構成されている。前記移動機構としては、モーターからの駆動力をキャリッジ２３に伝達するベルト伝達機構やギヤ伝達機構などが考えられる。制御基板６２は、光源２２１、撮像素子２２２などを制御するための基板である。制御基板６２は、可動部と一体的に移動する基板の一例である。
【００１７】
筐体２１の内部にＦＦＣ３０が設けられている。ＦＦＣ３０は、読取ユニット２２と画像読取装置１１の制御部（不図示）とを電気的に接続するものであり、並設される複数の信号線（導線）が絶縁樹脂で被覆されたものである。ＦＦＣ３０は、本発明の「ケーブル」の一例である。ＦＦＣ３０は、その一方端が読取ユニット２２の制御基板６２に電気的に接続されている。具体的には、ＦＦＣ３０の一方端が、制御基板６２上に実装されたコネクター３２に挿入されることによって、ＦＦＣ３０と制御基板６２とが連結されている。
【００１８】
筐体２１の底面２１Ａには、ＦＦＣ３０の所定部分（中途部）を筐体２１に固定するための固定部２４が設けられている。ＦＦＣ３０の前記一方端から前記中途部までの部分は、キャリッジ２３の往復移動にＦＦＣ３０が追従可能なように、湾曲された状態で筐体２１の内部に収容されている。一方、ＦＦＣ３０の前記中途部から他方端までの部分は、筐体２１の底面２１Ａに沿って配設されている。そして、ＦＦＣ３０の前記他方端と前記制御部とが電気的に接続されている。
【００１９】
ＦＦＣ３０又はＦＰＣは、複数の信号線が１つのケーブルとしてまとめられているため、データの高速転送、装置の小型化などを達成するのに好適である。よって、複合機、複写機、ファクシミリ装置、画像読取装置、プリンターなどの画像処理装置では、電気信号を伝送するケーブルとしてＦＦＣ３０又はＦＰＣが用いられるのが一般的である。ところで、ＦＦＣ３０又はＦＰＣ用のコネクターを制御基板６２のような基板に実装する際に、基板上に載置されたコネクターが、指又は工具によって基板に向かって上から押されることがある。このとき、コネクター内の内部接触子が指又は工具からの力によって変形又は破損してしまうことがある。特に、図２に示されるように、基板に対してコネクターを立てた状態（すなわち、コネクターに対するケーブルの挿抜方向が基板の主面に対してほぼ垂直となる状態）で実装する場合は、コネクターにおけるケーブルの挿入口の近傍部分が指又は工具で押されることになる。そのため、コネクターに設けられている内部接触子が指又は工具に接触しやすい。これに対して、本実施形態に係るコネクター３２では、内部接触子の変形又は破損を抑制することが可能である。
【００２０】
＜コネクター３２の構造＞
以下、図３及び図４を参照して、本実施形態に係るコネクター３２の構造について説明する。図３は、コネクター３２を、ＦＦＣ３０の挿抜方向Ｄ１に直交する方向から見た図であり、図４は、コネクター３２を、ＦＦＣ３０の挿抜方向Ｄ１から見た図である。
【００２１】
コネクター３２は、外装部３４と、複数の内部接触子３６とを備える。外装部３４は、例えば樹脂で形成された絶縁部材である。外装部３４の上面（すなわち、制御基板６２に対向する面とは反対側の面）には、ＦＦＣ３０を挿入するための挿入口Ｈ１が設けられている。コネクター３２は、制御基板６２に対して挿入口Ｈ１とは反対側の端部（すなわち、図３における下側の面）が対向する状態で制御基板６２に実装される。
【００２２】
外装部３４の内側には、コネクター３２の長手方向Ｄ２に沿って、複数の内部接触子３６が並設されている。内部接触子３６は、不図示の端子を通じて制御基板６２に電気的に接続されている。挿入口Ｈ１を通じてＦＦＣ３０がコネクター３２に挿入されると、ＦＦＣ３０に設けられた複数の信号線が、対応する内部接触子３６に接触する。その結果、ＦＦＣ３０と制御基板６２とが電気的に接続される。図３に示されるように、内部接触子３６は、挿入口Ｈ１（すなわち、外装部３４の上面）から距離Ｇ１（例えば、数ミリメートル）だけ離間している。
【００２３】
一方、長手方向Ｄ２に沿って互いに隣接する２つの内部接触子３６の間には、それぞれ、仕切部３４Ａが設けられている。仕切部３４Ａは、外装部３４の内面に設けられた、挿抜方向Ｄ１に沿って延びる線状の突起部である。本実施形態では、複数の仕切部３４Ａが、外装部３４の一部として一体形成されている。ただし、他の実施形態では、仕切部３４Ａが、外装部３４とは別体として外装部３４の内側に設けられてもよい。図３に示されるように、仕切部３４Ａは、ＦＦＣ３０の挿抜方向Ｄ１において内部接触子３６よりも挿入口Ｈ１側に延びている。本実施形態では、仕切部３４Ａは、挿入口Ｈ１（すなわち、外装部３４の上面）まで延びている。
【００２４】
このように、本実施形態に係るコネクター３２では、内部接触子３６が挿入口Ｈ１（すなわち、外装部３４の上面）から所定距離Ｇ１だけ離間しており、仕切部３４Ａが、ＦＦＣ３０の挿抜方向Ｄ１において内部接触子３６よりも挿入口Ｈ１側に延びている。よって、制御基板６２上に載置されたコネクター３２が指又は工具によって制御基板６２に向かって上から押された場合でも、指又は工具は外装部３４又は仕切部３４Ａに接触するだけであり、内部接触子３６には接触しない。よって、本実施形態に係るコネクター３２によれば、内部接触子３６の変形又は破損を抑制することが可能である。
【００２５】
なお、図４に示されるコネクター３２には、ＦＦＣ３０の一方の主面（例えば、表面）に接触する複数の内部接触子３６と、ＦＦＣ３０の他方の主面（例えば、裏面）に接触する複数の内部接触子３６とが、厚み方向Ｄ３に離間して設けられているが、本発明はこれに限定されない。図５に示されるように、ＦＦＣ３０のいずれか一方の主面のみに接触する複数の内部接触子３６を備えるコネクター３２にも、本発明は適用可能である。
【００２６】
＜コネクター３２の変形例＞
次に、図６及び図７を参照しつつ、コネクター３２の変形例について説明する。図６は、変形例に係るコネクター３２を、ＦＦＣ３０の挿抜方向Ｄ１から見た図であり、図７は、変形例に係るコネクター３２を、ＦＦＣ３０の挿抜方向Ｄ１に直交する方向（図６に示されるＶ１方向）から見た断面図である。
【００２７】
図６及び図７に示されるように、変形例に係るコネクター３２には、挿入口Ｈ１を覆うカバー部材３８が設けられている。カバー部材３８は、例えば接着剤によって外装部３４の上面に接着されている。
【００２８】
カバー部材３８は、例えばゴムのような可とう性を有する部材である。そして、カバー部材３８には、挿入口Ｈ１の長手方向Ｄ２に沿った第１の切り込み３８Ａが設けられている。また、第１の切り込み３８Ａの両端部には、第１の切り込み３８Ａに対して直交する方向に沿った第２の切り込み３８Ｂがそれぞれ設けられている。
【００２９】
作業者がＦＦＣ３０をコネクター３２に接続する際には、挿入口Ｈ１がカバー部材３８で覆われているため、作業者は挿入口Ｈ１を目視することができない。しかしながら、第１の切り込み３８Ａが挿入口Ｈ１に沿って設けられているので、作業者は、図７の（Ａ）及び（Ｂ）に示されるように、第１の切り込み３８ＡからＦＦＣ３０を挿入するだけで、ＦＦＣ３０をコネクター３２に正しく挿入することができる。
【００３０】
このように、本変形例によれば、挿入口Ｈ１がカバー部材３８で覆われているので、制御基板６２上に載置されたコネクター３２が指又は工具によって制御基板６２に向かって上から押された場合でも、指又は工具はカバー部材３８に接触するだけであり、内部接触子３６には接触しない。また、指又は工具によって変形したカバー部材３８は、外装部３４又は仕切部３４Ａによって支持されるため、変形したカバー部材３８が内部接触子３６に接触することはない。よって、本変形例に係るコネクター３２によれば、内部接触子３６の変形又は破損を抑制することが可能である。また、外装部３４又は仕切部３４Ａもカバー部材３８によって保護されるため、外装部３４又は仕切部３４Ａの変形又は破損を抑制することが可能である。また、挿入口Ｈ１がカバー部材３８で覆われているので、コネクター３２の内部に異物が入ることを抑制することが可能である。また、ＦＦＣ３０がカバー部材３８によって支持されるため、ＦＦＣ３０がカバー部材３８によって正しい位置に位置決めされる。
【００３１】
なお、制御基板６２が読取ユニット２２と一体的に移動する際に、コネクター３２に接続されているＦＦＣ３０に対して、挿抜方向Ｄ１に対して直交する方向の力が加わることがある。しかしながら、本変形例に係るコネクター３２によれば、ＦＦＣ３０が、例えばゴムのように可とう性を有するカバー部材３８によって支持されるため、コネクター３２に接続されているＦＦＣ３０に対して、挿抜方向Ｄ１に対して直交する方向の力が加わったとしても、ＦＦＣ３０がコネクター３２から受ける力が分散される。よって、ＦＦＣ３０に対して過大な力がかかるのを防止することができ、ＦＦＣ３０の変形又は破損を抑制することができる。なお、インクジェット方式のプリンターのヘッドのように、画像形成動作に伴って移動する可動部と一体的に移動する基板にコネクター３２が実装される場合にも、同様の効果が得られる。
【００３２】
ところで、図７に示される例では、仕切部３４Ａが挿入口Ｈ１（すなわち、外装部３４の上面）まで延びているが、カバー部材３８の厚みが大きい場合には、ＦＦＣ３０の挿入時にカバー部材３８と仕切部３４Ａとが干渉してしまうことがある。そこで、他の実施形態では、図８に示されるように、仕切部３４Ａとカバー部材３８とを離間させることによって、仕切部３４Ａとカバー部材３８との間に、ＦＦＣ３０の挿入時にカバー部材３８が退避可能な退避空間Ｓ１（図８の（Ａ）参照）を設けてもよい。これにより、図８の（Ｂ）に示されるように、ＦＦＣ３０の挿入時に、変形したカバー部材３８が退避空間Ｓ１に退避可能になるので、カバー部材３８と仕切部３４Ａとが干渉してしまうことを回避することができる。
【００３３】
なお、図６に示されるカバー部材３８には、第１の切り込み３８Ａと２つの第２の切り込み３８ＢとによってＨ形状の切り込みが設けられているが、本発明はこれに限定されない。他の実施形態では、例えば、図９に示されるカバー部材３８のように、第１の切り込み３８Ａと２つの第２の切り込み３８Ｂとによってコの字形状の切り込みが設けられてもよい。
【００３４】
また、本実施形態では、コネクター３２に接続されるケーブルがＦＦＣ３０である場合について説明したが、本発明はこれに限らず、コネクター３２に接続されるケーブルが例えばＦＰＣであってもよい。
【符号の説明】
【００３５】
１０  複合機
１１  画像読取装置
１３  ＡＤＦ
２１  筐体
２１Ａ  底面
２２  読取ユニット
２３  キャリッジ
２４  固定部
２７  コンタクト部材
２８  コンタクト部材
３０  ＦＦＣ
３２  コネクター
３４  外装部
３４Ａ  仕切部
３６  内部接触子
３８  カバー部材
３８Ａ  第１の切り込み
３８Ｂ  第２の切り込み
６２  制御基板
Ｈ１  挿入口
Ｓ１  退避空間
【図１】
2018170253.tif 000003
【図２】
2018170253.tif 000004
【図３】
2018170253.tif 000005
【図４】
2018170253.tif 000006
【図５】
2018170253.tif 000007
【図６】
2018170253.tif 000008
【図７】
2018170253.tif 000009
【図８】
2018170253.tif 000010
【図９】
2018170253.tif 000011